(57)【要約】【課題】吸保水力効果に優れた軟包装材料からなる結露防止包装材料と該結露防止包装材料を用いた結露防止包装袋を提供すること。【解決手段】熱融着性を有するプラスチックフィルム（１１）に吸保水層（１２）と紙（１３）がこの順序で積層された結露防止包装材料（１０）。吸保水層（１２）と紙（１３）の間、プラスチックフィルム（１１）と吸保水層（１２）の間に、それぞれ厚さ５μｍ以下の接着剤層（１４）を介在させても良い。【選択図】図１
2004276357.tif 000002
【特許請求の範囲】
【請求項１】
熱融着性を有するプラスチックフィルムに吸保水層と紙がこの順序で積層されていることを特徴とする、結露防止包装材料。
【請求項２】
前記吸保水層と紙との間に厚さ５μｍ以下の接着剤層を介在させたことを特徴とする、請求項１記載の結露防止包装材料。
【請求項３】
請求項１又は２記載の結露防止包装材料を用いて作製した包装袋。
【発明の詳細な説明】
【０００１】
【発明の属する技術分野】
本発明は、吸水性および保水性を有する結露防止性の包装材料と該結露防止包装材料を用いて作製した結露防止包装袋に関するものである。
【０００２】
【従来の技術】
従来、高分子フィルム、紙などを原材料とする軟質包装材料について、その包装材料に内容物を充填後、冷蔵、冷凍することは日常的に行われている。
しかし、その冷蔵、冷凍後に常温に放置して解凍などを行った際、包装材料の表面に結露が発生し、外観を損なう場合が度々見られる。
【０００３】
その防止策として、パルプを原料とする紙、あるいはレーヨンなどとの混合紙を該包装材料の表面にラミネートすることにより、吸水性および保水性を持たせることが知られていた。
しかしながら、内容物の量、温度などの問題から、包装材料の吸水力や保水力が不足し、結露防止という目的が不達成に終わる場合もしばしば認められるのが現状であった。
【０００４】
【発明が解決しようとする課題】
本発明は、以上のような問題を解決するためになされたもので、吸保水力効果に優れた軟包装材料からなる結露防止包装材料と該結露防止包装材料を用いた結露防止包装袋を提供することを課題とする。
【０００５】
【課題を解決するための手段】
本発明の請求項１の発明は、熱融着性を有するプラスチックフィルムに吸保水層と紙がこの順序で積層されていることを特徴とする、結露防止包装材料である。
【０００６】
このように請求項１記載の発明によれば、熱融着性を有するプラスチックフィルムに吸保水層と紙がこの順序で積層されているので、この包装材料を、例えば、冷凍状態から常温状態に戻した場合、包装材料の表面に生ずる水滴は積層されている紙や吸保水層に吸収されて結露現象が発生することがない。
【０００７】
また、請求項２の発明は、請求項１の発明において、前記吸保水層と紙との間に厚さ５μｍ以下の接着剤層を介在させたことを特徴とする、結露防止包装材料である。
【０００８】
このように請求項２記載の発明によれば、吸保水層と紙との間に厚さ５μｍ以下の接着剤層を介在させているので、吸保水層と紙の間は強固に接着されている。
なお、接着剤層の厚さを６μｍ以上にすることは、接着剤層が吸水力や保水力を阻害することになり好ましくない。
【０００９】
また、請求項３の発明は、請求項１又は２記載の結露防止包装材料を用いて作製した包装袋である。
【００１０】
【発明の実施の形態】
本発明の結露防止包装材料を一実施形態に基づいて以下に詳細に説明する。
本発明の結露防止包装材料（１０）は、例えば、図１に示すように、熱融着性を有するプラスチックフィルム（１１）に吸保水層（１２）と紙（１３）がこの順序で積層されているものである。
【００１１】
プラスチックフィルム（１１）は、ポリエチレン、ポリプロピレン、エチレン共重合体、飽和ポリエステル等、熱融着性を有するフィルムであれば目的に応じて適宜に使用することができる。
【００１２】
落下強度、突き刺し強度やガスバリア性を向上させる必要が生じた場合、プラスチックフィルム（１１）と後記する吸保水層（１２）の間に中間層（図示せず）を設けることができる。この場合の中間層としては、ポリエチレンテレフタレートフィルム、ポリアミドフィルム等のプラスチックフィルムが好ましく使用できる。また、この中間層には酸化ケイ素、酸化アルミニウム等の無機化合物の蒸着層を含んでも良い。
【００１３】
プラスチックフィルム（１１）の上に積層される吸保水層（１２）は、吸水力、保水力に優れたポリアミドフィルム、ポリビニルアルコールフィルムなどが好適に使用でき、厚さは１２〜２０μｍ程度が好ましい。
【００１４】
また、吸保水層（１２）の上に積層される紙（１３）としては、パルプ１００％、あるいはパルプとレーヨンなどとの混合紙を使用することができる。
【００１５】
プラスチックフィルム（１１）と吸保水層（１２）とを接着させるに際し、厚さが５μｍ以下の接着剤層（１４）を介在させることができる。接着剤層の厚さが６μｍ以上になると、接着剤層が吸水力や保水力を阻害することになり，好ましくない。
【００１６】
プラスチックフィルム（１１）と吸保水層（１２）、あるいは吸保水層（１２）と紙（１３）は、ドライラミネーション法等の公知の貼り合わせ方法により積層することができる。
【００１７】
こうして作製した結露防止包装材料から、プラスチックフィルム（１１）を内側にして、二方シール袋、三方シール袋、四方シール袋、スタンディングパウチ等任意の形状の包装袋を作製することができる（図２参照）。作製した包装袋は結露防止効果に優れた包装袋である。
【００１８】
【実施例】
以下実施例により本発明を詳細に説明する。
〈実施例１〉
プラスチックフィルム（１１）として、厚さが４０μｍの直鎖低密度ポリエチレンフィルムを準備した。
また、吸保水層（１２）として、厚さが１５μｍのポリアミドフィルムを準備した。
さらに、紙（１３）として、坪量２０ｇ／ｍ２  のパルプ１００％の和紙を準備した。
【００１９】
ついで、ポリアミドフィルム（１２）と直鎖低密度ポリエチレンフィルム（１１）を二液反応型ポリウレタン樹脂系の接着剤（１４）を介してドライラミネート法により貼り合わせ、複合フィルムとした（接着剤の塗布量は３ｇ／ｍ２  （固形分）であり、塗布厚さは３μｍである）。
この複合フィルムのポリアミドフィルム面に和紙（１３）を、前記二液反応型ポリウレタン樹脂系の接着剤を介してドライラミネート法により貼り合わせ、実施例１の結露防止包装材料とした。
【００２０】
〈比較例１〉
吸保水層として厚さが２０μｍの二軸延伸ポリプロピレンフィルムを使用した以外は実施例１と同様の材料、方法を用いて比較例１の結露防止包装材料を作製した。
【００２１】
このようにして作製した実施例１種類、比較例１種類，合計２種類の結露防止包装材料から直鎖低密度ポリエチレンフィルムを内側にして、縦；１００ｍｍ、横；５０ｍｍの三方シール袋を一般的に公知の製袋機を用いて作製し、結露防止包装袋とした。
この２種類の結露防止包装袋に４０ミリリットルの保冷剤（ゲル状）を充填、開口部を密封シールした。
【００２２】
内容物を充填した２種類の結露防止包装袋を−１８°Ｃの冷凍庫に８時間放置して凍結させた。その後、２０°Ｃの室内に戻したところ、比較例１の結露防止包装袋は、１５分ほどで包装袋の表面に水滴が認められるようになったのに対して、実施例１の結露防止包装袋は、２時間経過後も包装袋の表面に水滴は認められなかった。
【００２３】
実施例１に見られるように、プラスチックフィルムに吸保水層と紙を順次積層させた結露防止包装材料を用いて作製した結露防止包装袋は十分な結露防止効果を有することが判る。
【００２４】
【発明の効果】
上記のように、本発明の結露防止包装材料は、下記に示す如き効果がある。
即ち、軟包装材料の表面を紙とし、その内側に隣接して吸保水層を設けることにより十分な結露防止効果を得ることができる。
【図面の簡単な説明】
【図１】本発明の結露防止包装材料の一実施例を示す、断面説明図である。
【図２】本発明の結露防止包装材料を用いて作製した結露防止包装袋の一実施例を示す、平面説明図である。
【符号の説明】
１０‥‥結露防止包装材料
１１‥‥プラスチックフィルム
１２‥‥吸保水層
１３‥‥紙
１４‥‥接着剤層
２０‥‥結露防止包装袋
【図１】
2004276357.tif 000003
【図２】
2004276357.tif 000004